(57)【特許請求の範囲】
【請求項１】
原稿を搬送して当該原稿の画像を読み取る画像読取部と、
記録紙を搬送して当該記録紙に画像を記録する画像記録部と、を備え、
前記原稿の搬送のみを行って前記画像読取部での画像の読み取りのみを行う読取モード、前記記録紙の搬送のみを行って前記画像記録部での画像の記録のみを行う記録モード及び前記原稿の搬送と前記記録紙の搬送を行って前記画像読取部での画像の読み取りと前記画像記録部での画像の記録を行うコピーモードの３つの動作モード処理を行う画像読取記録装置であって、
１個の駆動モータで回転駆動される駆動ギアと、
前記駆動ギアによって回転駆動される減速ギアと、
前記減速ギアによって回転駆動される読取側アイドラギアと、
前記減速ギアによって回転駆動される書込側アイドラギアと、
前記読取側アイドラギアにより回転駆動される読取側揺動ギアと、
前記読取側アイドラギアと前記読取側揺動ギアが回転可能に取り付けられているとともに前記読取側アイドラギアの中心を回転中心として所定角度揺動する読取側揺動板と、
前記読取側揺動板の揺動位置に応じて前記読取側揺動ギアと歯合して読取側ローラを回転させる読取側ローラギア機構と、
前記書込側アイドラギアにより回転駆動される書込側揺動ギアと、
前記書込側アイドラギアと前記書込側揺動ギアが回転可能に取り付けられているとともに前記書込側アイドラギアの中心を回転中心として所定角度揺動する書込側揺動板と、
前記書込側揺動板の揺動位置に応じて前記書込側揺動ギアと歯合して書込側ローラを回転させる書込側ローラギア機構と、
前記読取側揺動板の揺動状態に応じて前記読取側揺動ギアに歯合して、前記読取側揺動ギアにより回転駆動されるモード切換ギアと、
前記モード切換ギアに取り付けられて、前記読取側揺動板の先端と前記書込側揺動板の先端とが当接して前記モード切換ギアの回転によって位置変化して前記読取側揺動板の先端及び前記書込側揺動板の先端の移動を規制して前記読取側揺動ギアと前記読取側ローラギア機構との歯合及び前記書込側揺動ギアと前記書込側ローラギア機構との歯合を切り換えて前記３つの動作モードの切り換えを行うカムと、
前記モード切換ギアに取り付けられた前記カムによりオン・オフされ前記モード切換ギアの回転位置を検出するモード検出手段と、を備え、
前記読取側揺動ギアは、前記読取側揺動板の前記カムに当接する先端と前記読取側アイドラギアが取り付けられた端部との間に取り付けられており、
前記モード検出手段の検出結果に基づいて前記駆動モータの回転を制御して、前記カムを各動作モードに対応した位置に変化させることにより、前記動作モードの切り換えを行い、
前記読取モードでは、前記読取側揺動板の先端は、前記モード切換ギアに取り付けられた前記カムに当接せず、前記書込側揺動板の先端が前記カムに当接することにより、前記読取側揺動ギアと前記読取側ローラギア機構とを歯合させ、前記記録モードでは、前記書込側揺動板の先端が前記モード切換ギアに取り付けられた前記カムに当接せず、前記読取側揺動板の先端が、前記カムに当接することにより、前記書込側揺動ギアと前記書込側ローラギア機構とを歯合させ、前記コピーモードでは、前記読取側揺動板の先端および前記書込側揺動板の先端は、前記モード切換ギアに取り付けられた前記カムに当接せず、前記読取側揺動ギアおよび前記書込側揺動ギアは、それぞれ前記読取側ローラギア機構および前記書込側ローラギア機構に歯合し、
当該画像読取記録装置の組み立て完了時の前記動作モードを前記コピーモードとすることを特徴とする画像読取記録装置。
【請求項２】
前記画像読取記録装置は、当該画像読取記録装置の待機状態時の前記動作モードを前記読取モードとすることを特徴とする請求項１記載の画像読取記録装置。
【発明の詳細な説明】
【０００１】
【発明の属する技術分野】
本発明は、画像読取記録装置に関し、詳細には、１個の駆動モータで原稿を搬送するためのローラと記録紙を搬送するためのローラを簡単な構成で動作モードに応じて回転駆動する画像読取記録装置に関する。
【０００２】
【従来の技術】
従来、ファクシミリ装置においては、その駆動系は、原稿を搬送する原稿搬送用駆動系と記録紙を搬送する記録紙搬送用駆動系とを別々の駆動系として備えており、それぞれの駆動系が駆動源となるモータを有している。
【０００３】
ところが、このような従来のファクシミリ装置は、駆動用モータを２つ備えていたため、コストが高くなるだけでなく、重量も重く、また装置自体も大きくなるという問題があった。
【０００４】
そこで、従来、複数のモードに応じて駆動源からの動力を一方及び他方搬送機構のうちのいずれか一方搬送機構または両方の搬送機構に伝達して用紙を搬送するための駆動装置において、前記駆動源である双方向に回転可能なモータの動力が伝達されるモータギヤーと、略Ｖ字状の第１及び第２遊星レバーが回動可能にそれぞれ固定され、前記モータギヤーとそれぞれ歯合する第１及び第２太陽ギヤーと、第１遊星レバーの一方端部に回転可能に固定され、前記第１太陽ギヤーと歯合する第１遊星ギヤーと、第２遊星レバーの一方端部に回転可能に固定され、前記第２太陽ギヤーと歯合する第２遊星ギヤーと、前記第１または第２遊星レバーの他方端部が当接するカムが固定されるカムギヤーとを含んで構成され、第１モードでは、第２遊星レバーの他方端部がカムギヤーに固定されたカムに当接して第１遊星レバーの回動が規制され、第１遊星ギヤーと一方搬送機構を構成する減速ギヤーとが歯合し、第２モードでは、第１遊星レバーの他方端部がカムギヤーに固定されたカムに当接して第１遊星レバーの回動が規制され、第２遊星レバーの他方搬送機構を構成する減速ギヤーとが歯合し、第３モードでは、第１及び第２遊星レバーの他方端部は共にカムギヤーに固定されたカムに当接せず、第１及び第２遊星ギヤーと一方及び他方搬送機構の減速ギヤーとがそれぞれ歯合することを特徴とする駆動装置が提案されている（特開平９−１５０９８５号公報参照）。
【０００５】
【発明が解決しようとする課題】
しかしながら、このような従来の駆動装置にあっては、組み立て後の搬送時等に画像読取記録装置に加わる振動等でカムギヤーが位置変動し、カムギヤーの回転を不可能とする等による動作不良が発生する等の問題があり、安定駆動を向上させる上で改良の必要があった。
【０００６】
そこで、本発明は、小型軽量で動作の安定性が高い画像読取記録装置を提供することを目的とする。
【０００７】
また、本発明は、画像読取記録装置の待機状態時の動作モードを読取モードとすることにより、原稿が画像読取部にセットされた際に読取側ローラギア機構を速やかに駆動させて原稿をプリフィードして、原稿がセットされたことを確認し、読取モードあるいはコピーモードに速やかに移行できるようにして、利用性を向上させることのできる画像読取記録装置を提供することを目的としている。
【０００８】
さらに、本発明は、画像読取記録装置の組み立て完了時の動作モードをコピーモードとすることにより、組み立て後の搬送時等に画像読取記録装置に加わる振動等でモード切換ギアが多少位置変動しても、読取側揺動板や書込側揺動板の先端がカムと干渉して、モード切換ギアの回転を不可能とする等による動作不良の発生を防止し、組立時の作業性を向上させるとともに組立ミスを減少させて、品質を向上させることのできる画像読取記録装置を提供することを目的としている。
【０００９】
【課題を解決するための手段】
原稿を搬送して当該原稿の画像を読み取る画像読取部と、記録紙を搬送して当該記録紙に画像を記録する画像記録部と、を備え、前記原稿の搬送のみを行って前記画像読取部での画像の読み取りのみを行う読取モード、前記記録紙の搬送のみを行って前記画像記録部での画像の記録のみを行う記録モード及び前記原稿の搬送と前記記録紙の搬送を行って前記画像読取部での画像の読み取りと前記画像記録部での画像の記録を行うコピーモードの３つの動作モード処理を行う画像読取記録装置であって、１個の駆動モータで回転駆動される駆動ギアと、前記駆動ギアによって回転駆動される減速ギアと、前記減速ギアによって回転駆動される読取側アイドラギアと、前記減速ギアによって回転駆動される書込側アイドラギアと、前記読取側アイドラギアにより回転駆動される読取側揺動ギアと、前記読取側アイドラギアと前記読取側揺動ギアが回転可能に取り付けられているとともに前記読取側アイドラギアの中心を回転中心として所定角度揺動する読取側揺動板と、前記読取側揺動板の揺動位置に応じて前記読取側揺動ギアと歯合して読取側ローラを回転させる読取側ローラギア機構と、前記書込側アイドラギアにより回転駆動される書込側揺動ギアと、前記書込側アイドラギアと前記書込側揺動ギアが回転可能に取り付けられているとともに前記書込側アイドラギアの中心を回転中心として所定角度揺動する書込側揺動板と、前記書込側揺動板の揺動位置に応じて前記書込側揺動ギアと歯合して書込側ローラを回転させる書込側ローラギア機構と、前記読取側揺動板の揺動状態に応じて前記読取側揺動ギアに歯合して、前記読取側揺動ギアにより回転駆動されるモード切換ギアと、前記モード切換ギアに取り付けられて、前記読取側揺動板の先端と前記書込側揺動板の先端とが当接して前記モード切換ギアの回転によって位置変化して前記読取側揺動板の先端及び前記書込側揺動板の先端の移動を規制して前記読取側揺動ギアと前記読取側ローラギア機構との歯合及び前記書込側揺動ギアと前記書込側ローラギア機構との歯合を切り換えて前記３つの動作モードの切り換えを行うカムと、前記モード切換ギアに取り付けられた前記カムによりオン・オフされ前記モード切換ギアの回転位置を検出するモード検出手段と、を備え、前記読取側揺動ギアは、前記読取側揺動板の前記カムに当接する先端と前記読取側アイドラギアが取り付けられた端部との間に取り付けられており、前記モード検出手段の検出結果に基づいて前記駆動モータの回転を制御して、前記カムを各動作モードに対応した位置に変化させることにより、前記動作モードの切り換えを行い、前記読取モードでは、前記読取側揺動板の先端は、前記モード切換ギアに取り付けられた前記カムに当接せず、前記書込側揺動板の先端が前記カムに当接することにより、前記読取側揺動ギアと前記読取側ローラギア機構とを歯合させ、前記記録モードでは、前記書込側揺動板の先端が前記モード切換ギアに取り付けられた前記カムに当接せず、前記読取側揺動板の先端が、前記カムに当接することにより、前記書込側揺動ギアと前記書込側ローラギア機構とを歯合させ、前記コピーモードでは、前記読取側揺動板の先端および前記書込側揺動板の先端は、前記モード切換ギアに取り付けられた前記カムに当接せず、前記読取側揺動ギアおよび前記書込側揺動ギアは、それぞれ前記読取側ローラギア機構および前記書込側ローラギア機構に歯合し、当該画像読取記録装置の組み立て完了時の前記動作モードを前記コピーモードとすることにより、上記目的を達成している。
【００１０】
上記構成によれば、１個の駆動モータによって回転駆動される駆動ギアの回転を、揺動する読取側揺動板に取り付けられた読取側アイドラギアと読取側揺動ギアを介して読取側ローラギア機構に伝達し、また、揺動する書込側揺動板に取り付けられた書込側アイドラギアと書込側揺動ギアを介して書込側ローラギア機構に伝達し、モード切換ギアに取り付けられたカムが、読取側揺動板の先端と書込側揺動板の先端に干渉して、読取側揺動板と書込側揺動板の揺動を規制して読取モード、記録モード及びコピーモードの３つの動作モードを設定するに際して、当該カムによりオン・オフされるモード検出手段でモード切換ギアの回転位置を検出して、当該モード検出手段の検出結果に基づいて駆動モータの回転を制御して、前記カムを各動作モードに対応した位置に変化させることにより、動作モードの切り換えを行うので、画像読取記録装置を小型軽量で動作の安定性が高いものとすることができる。
さらに、上記構成によれば、画像読取記録装置の組み立て完了時の動作モードをコピーモードとしているので、組み立て後の搬送時等に画像読取記録装置に加わる振動等でモード切換ギアが多少位置変動しても、読取側揺動板や書込側揺動板の先端がカムと干渉して、モード切換ギアの回転を不可能とする等による動作不良の発生を防止することができ、画像読取記録装置の組立時の作業性の向上及び組立ミスの減少を図ることができるとともに、画像読取記録装置の品質を向上させることができる。
【００１１】
この場合、例えば、請求項２に記載するように、前記画像読取記録装置は、当該画像読取記録装置の待機状態時の前記動作モードを前記読取モードとするものであってもよい。
【００１２】
上記構成によれば、画像読取記録装置の待機状態時の動作モードを読取モードとしているので、原稿が画像読取部にセットされた際に読取側ローラギア機構を速やかに駆動させて原稿をプリフィードして、原稿がセットされたことを確認することができ、読取モードあるいはコピーモードに速やかに移行できるようにして、利用性を向上させることができる。
【００１５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１６】
図１〜図６は、本発明の画像読取記録装置の一実施の形態を示す図であり、図１は、本発明の画像読取記録装置の一実施の形態を適用したファクシミリ装置１の駆動機構部１０の要部正面図である。
【００１７】
図１において、ファクシミリ装置１は、図示しないが、画像読取部と画像記録部、操作部及び制御部等を備えており、制御部の制御下で、ファクシミリ通信を行うとともに、画像読取部による原稿の画像の読み取りと画像記録部による記録紙への画像の記録を行う。
【００１８】
画像読取部は、図示しない原稿台にセットされた原稿を検出する原稿センサ（図示略）を備えており、原稿台上に原稿がセットされると、駆動機構部１０により１枚ずつ原稿を読取位置に搬送して、原稿の画像を読み取る。画像読取部で読み取られた原稿の画像は、送信モードでは、送信処理に供され、また、コピーモードでは、画像記録部で記録紙に記録出力される。
【００１９】
画像記録部は、受信画像あるいは画像読取部で読み取られた画像を、駆動機構部１０により搬送される記録紙に記録出力する。
【００２０】
駆動機構部１０は、図１から図４に示すように、モータピニオン１１、減速ギア１２、読取側第１アイドラギア１３、読取側揺動ギア１４、読取側揺動板１５、読取側第２アイドラギア１６、読取ローラギア１７、書込側第１アイドラギア１８、書込側揺動ギア１９、書込側揺動板２０、書込側第２アイドラギア２１、書込ローラギア２２、モード切換ギア２３、モード検知センサ２４、スプリング２５、カム２６及びカム保持部２７等を備えている。
【００２１】
モータピニオン（駆動ギア）１１は、図示しない１個の駆動モータの駆動軸に連結されており、駆動モータにより回転駆動される。
【００２２】
減速ギア１２は、モータピニオン１１に歯合されており、モータピニオン１１により回転駆動される。
【００２３】
減速ギア１２には、読取側第１アイドラギア（読取側アイドラギア）１３と書込側第１アイドラギア（書込側アイドラギア）１８が歯合しており、読取側第１アイドラギア１３と書込側第１アイドラギア１８は、減速ギア１２により回転駆動される。
【００２４】
読取側第１アイドラギア１３は、略くの字型の読取側揺動板１５の一方側の端部に回転可能に設けられており、読取側揺動板１５の中心部に設けられた読取側揺動ギア１４と歯合している。
【００２５】
読取側揺動板１５は、読取側第１アイドラギア１３の設けられた端部部分を揺動中心として揺動可能に設けられており、読取側第１アイドラギア１３の回転に伴って、読取側揺動板１５が、読取側第１アイドラギア１３の中心部を揺動中心として揺動する。読取側揺動板１５は、読取側第１アイドラギア１３の設けられた側と反対側の端部が、モード切換ギア２３の裏側（図１〜図４の裏面側）において、モード切換ギア２３の近傍、すなわち、後述するカム２６及びカム保持部２７近傍に延在している。
【００２６】
読取側第２アイドラギア１６は、読取側揺動板１５の揺動状態によって読取側揺動ギア１４に歯合し、読取側揺動ギア１４により回転駆動される。
【００２７】
読取ローラギア１７は、上記画像読取部の図示しない原稿搬送用の読取ローラに連結されており、読取側第２アイドラギア１６に歯合して、読取側第２アイドラギア１６により回転駆動される。これら読取側第２アイドラギア１６及び読取ローラギア１７は、読取側ローラギア機構として機能している。
【００２８】
書込側第１アイドラギア１８は、書込側揺動板２０の略中心部に設けられ、減速ギア１２に歯合して、減速ギア１２により回転駆動される。
【００２９】
書込側揺動ギア１９は、書込側揺動板２０の一方側端部に回転可能に取り付けられているとともに、書込側第１アイドラギア１８に歯合している。
【００３０】
書込側揺動板２０は、書込側第１アイドラギア１８の設けられた中央部を揺動中心として揺動可能に設けられており、書込側第１アイドラギア１８の回転に伴って、書込側揺動ギア１９が、書込側第１アイドラギア１８の中心部を揺動中心として揺動する。書込側揺動板２０は、書込側揺動ギア１９の取り付けられた側と反対側の端部が、モード切換ギア２３の裏側（図１〜図４の裏面側）において、モード切換ギア２３の近傍、すなわち、後述するカム２６及びカム保持部２７近傍に延在している。
【００３１】
書込側第２アイドラギア２１は、書込側揺動板２０の揺動状態によって書込側揺動ギア１９に歯合し、書込側揺動ギア１９により回転駆動される。
【００３２】
書込ローラギア２２は、上記画像記録部の図示しない記録紙搬送用の書込ローラに連結されており、書込側第２アイドラギア２１に歯合して、書込側第２アイドラギア２１により回転駆動される。上記書込側第２アイドラギア２１及び書込ローラギア２２は、書込側ローラギア機構として機能している。
【００３３】
モード切換ギア２３は、図１〜図４の表面側、すなわち、カム２６の反対面側に略三角形のカム保持部２７が取り付けられており、カム保持部２７の三角形の１つの頂部部分には、カム２６が固定されている。また、カム保持部２７には、固定部材２８にその一端部が固定されたスプリング２５が当接しており、スプリング２５は、カム保持部２７の三角形の辺部分に密接して押圧することで、カム保持部２７が容易にその位置が変動することを防止している。
【００３４】
モード切換ギア２３には、読取側揺動板１５が時計方向に揺動した際に、読取側揺動板１５に取り付けられている読取側揺動ギア１４が歯合し、モード切換ギア２３は、読取側揺動ギア１４と歯合することで、読取側揺動ギア１４により回転駆動される。
【００３５】
モード検知センサ（モード検出手段）２４は、例えば、マイクロスイッチ等が用いられ、その検出端子２４ａがカム２６で押されることにより、オン／オフして、モード切換ギア２３の回転位置、すなわち、カム２６の位置を検出する。モード検知センサ２４は、この検出結果を図示しない制御部に出力し、制御部は、モード検知センサ２４のオン／オフの検出結果と、駆動モータの回転ステップ数と、に基づいてカム２６の位置を判別して、後述するモード制御を行う。なお、モード検知センサ２４は、マイクロスイッチに限るものではなく、例えば、光センサを用いたものであってもよい。
【００３６】
制御部は、ファクシミリ装置１の各部を制御して、ファクシミリ通信を行うとともに、モード検知センサ２４の検出結果に基づいて、駆動機構部１０の動作制御、特に、モータピニオン１１の連結されている駆動モータの動作制御を行い、１個の駆動モータにより画像読取部の原稿の搬送及び画像記録部の記録紙の搬送を行わせる。
【００３７】
次に、本実施の形態の作用を説明する。本実施の形態のファクシミリ装置１は、その駆動機構部１０に１個の駆動モータのみを備え、モード検知センサ２４の検出結果に基づいて、１個の駆動モータにより画像読取部の原稿の搬送と画像記録部の記録紙の搬送を行う。
【００３８】
すなわち、ファクシミリ装置１は、送信時に原稿を搬送するために読取ローラを回転させる送信モード（読取モード）、受信時に記録紙を搬送するため書込ローラを回転させる受信モード（記録モード）及び読取ローラと書込ローラを同時に回転させるコピーモードの３つの動作モードを有しており、各動作モードに応じてモード切換ギア２３のギア位置、すなわち、カム２６の位置を制御して、各動作モードに応じて、読取ローラ及び書込ローラの回転を制御している。
【００３９】
まず、モード切換処理について説明する。モード切換を行うためには、制御部は、駆動モータによりモータピニオン１１を、図２に示すように、時計方向に回転駆動させ、減速ギア１２を反時計方向に回転させる。減速ギア１２が反時計方向に回転すると、読取側第１アイドラギア１３及び書込側第１アイドラギア１８が時計方向に回転し、読取側第１アイドラギア１３及び書込側第１アイドラギア１８に歯合している読取側揺動ギア１４及び書込側揺動ギア１９が反時計方向に回転して、読取側揺動板１５が読取側第１アイドラギア１３の中心部を揺動中心として時計方向に揺動するとともに、書込側揺動板２０が書込側第１アイドラギア１８の中心部を揺動中心として時計方向に揺動する。
【００４０】
書込側揺動板２０が時計方向に揺動することで、書込側揺動板２０のカム２６側の端部がカム２６から離れ、読取側揺動板１５が時計方向に揺動することで、読取側揺動ギア１４が、図２に示すように、モード切換ギア２３と歯合する。このとき、書込側揺動ギア１９は、図示しないストッパによりフリーの状態となって、書込側揺動板２０のカム２６側の先端が、カム２６から離れた状態となっている。
【００４１】
モード切換ギア２３は、読取側揺動ギア１４と歯合すると、読取側揺動ギア１４の反時計方向の回転により時計方向に回転駆動され、モード切換ギア２３に固定されたカム保持部２７に取り付けられたカム２６が時計方向に回転する。
【００４２】
このカム２６の回転をモード検知センサ２４が検出し、モード検知センサ２４は、検出結果を制御部に出力する。具体的には、制御部は、モード検知センサ２４のオン／オフの検出結果と駆動モータの回転ステップ数に基づいて現在のカム２６の位置を判断して、現在の動作モードを判別して、動作モードの制御を行う。すなわち、制御部は、モード切換ギア２３の回転を制御して、カム２６の位置を当該動作モードに応じた位置に制御する。
【００４３】
そして、ファクシミリ装置１は、待機状態においては、モード切換ギア２３のギア位置、すなわち、カム２６の位置を送信モード時のギア位置としている。
【００４４】
すなわち、ファクシミリ装置１の動作開始時にユーザがファクシミリ装置１の近くにいるのは、原稿を画像読取部にセットする必要性から、送信時とコピー時であり、ファクシミリ装置１は、通常、原稿がセットされると、原稿をプリフィードして、原稿がセットされたことを確認し、その後、操作部のキー操作により指定された送信動作あるいはコピー動作を行う。
【００４５】
したがって、原稿が画像読取部にセットされた際、セットされた原稿を図示しない原稿センサが検出すると、直ぐに原稿のプリフィードを開始することができることが、キー操作のためにユーザを待たせる時間が短くてすみ、ファクシミリ装置１の利用性が向上する。
【００４６】
ところが、待機状態として、他の動作モード、あるいは、モード切換ギア２３が回転する状態にある場合には、原稿がセットされてから読取側揺動板１５が揺動して読取側揺動ギア１４がモード切換ギア２３に歯合し、モード切換ギア２３が回転して、送信モードあるいはコピーモードと移り変わってから原稿のプリフィードを行うこととなる。そのため、原稿のプリフィードが行われるまでに待ち時間が発生し、ユーザがキー操作を行うのにプリフィードが完了するまで待たされることとなる。
【００４７】
その結果、待機状態においてモード切換ギア２３が送信モード時のギア位置となっていると、待ち時間を短縮することができ、ファクシミリ装置１の利用性が向上する。
【００４８】
次に、駆動機構部１０の動作を、各動作モード毎に説明する。まず、送信モードについて説明する。
【００４９】
ファクシミリ装置１は、待機状態において、画像読取部に原稿がセットされ、図示しない原稿センサがオンすると、待機状態では、モード切換ギア２３のギア位置が、上述のように、送信モード位置に設定されているため、制御部は、駆動モータを制御して、図１に示すように、モータピニヨン１１を、反時計回りに回転させる。
【００５０】
モータピニオン１１が反時計方向に回転すると、減速ギア１２、読取側第１アイドラギア１３及び書込側第１アイドラギア１８が回転する。読取側第１アイドラギア１３及び書込側第１アイドラギア１８が回転すると、読取側揺動板１５と書込側揺動板２０は、それぞれ揺動ギア１４、１９が、読取側第２アイドラギア１６と書込側第２アイドラギア２１に歯合する方向に揺動する。
【００５１】
ところが、送信モードにおいては、図１に示すように、モード切換ギア２３の図１の裏面側に設けられたカム２６が、書込側揺動板２０の先端と干渉する位置に位置しており、反時計方向に揺動してきた書込側揺動板２０の先端とカム２６が干渉して、書込側揺動板２０の反時計方向への揺動を妨げる。したがって、書込側揺動ギア１９と書込側第２アイドラギア２１とは歯合せず、読取側揺動ギア１４のみが読取側第２アイドラギア１６と歯合し、モータピニオン１１の回転が減速ギア１２、読取側第１アイドラギア１３、読取側揺動ギア１４及び読取側第２アイドラギア１６を介して順次伝達されて、読取ローラギア１７を回転駆動させる。
【００５２】
したがって、読取ローラギア１７により読取ローラが回転駆動され、画像読取部の原稿を適切に搬送することができる。
【００５３】
このとき、上述のように、書込側揺動ギア１９が書込側第２アイドラギア２１と歯合しないため、書込ローラギア２２は、回転せず、画像書込部での記録紙の搬送は行われない。
【００５４】
したがって、１つの駆動モータの回転を読取ローラギア１７にのみ伝達して、読取ローラを回転駆動させ、適切に送信モードの動作を行って、画像読取部で原稿を搬送して、原稿の画像を読み取ることができる。
【００５５】
なお、このとき、モード切換ギア２３に固定されているカム保持部２７にスプリング２５による圧がかかっているため、モード最中のモード切換ギア２３の回転ずれを防止することができる。
【００５６】
次に、受信モードについて説明する。ファクシミリ装置１は、待機状態でファクシミリ受信があると、待機状態では、上述のように、モータ切換ギア２３は、図１に示すようにカム２６が右上部に位置する送信モード位置にあるため、制御部は、上記図２で説明したように、まず、駆動モータ、すなわち、モータピニオン１１を時計方向に回転させて、モータ切換ギア２３の位置、すなわち、カム２６の位置を図３に示す受信モード位置に移動させ、駆動機構部１０の動作モードを受信モードに設定する。
【００５７】
次に、制御部は、図３に矢印で示すように、駆動モータの回転を反転させて、モータピニオン１１を反時計方向に回転させ、上記送信モード時と同様に、モータピニオン１１が反時計方向に回転すると、減速ギア１２、読取側第１アイドラギア１３及び書込側第１アイドラギア１８が回転する。読取側第１アイドラギア１３及び書込側第１アイドラギア１８が回転すると、読取側揺動板１５と書込側揺動板２０は、それぞれ揺動ギア１４、１９が、読取側第２アイドラギア１６と書込側第２アイドラギア２１に歯合する方向に揺動する。
【００５８】
ところが、受信モードにおいては、図３に示すように、モード切換ギア２３の図３の裏面側に設けられたカム２６が、読取側揺動板１５の先端と干渉する位置に位置し、このカム２６の下方に読取側揺動板１５の先端が位置しており、反時計方向に揺動してきた読取側揺動板１５の先端とカム２６が干渉して、読取側揺動板１５の反時計方向への揺動を妨げる。したがって、書込側揺動ギア１９のみが書込側第２アイドラギア２１と歯合し、モータピニオン１１の回転が減速ギア１２、書込側第１アイドラギア１８、書込側揺動ギア１９及び書込側第２アイドラギア２１を介して順次伝達されて、書込ローラギア２２を回転駆動させる。
【００５９】
したがって、書込ローラギア２２により書込ローラが回転駆動され、画像記録部の記録紙を適切に搬送することができる。
【００６０】
このとき、上述のように、読取側揺動ギア１４が読取側第２アイドラギア１６と歯合しないため、読取ローラギア１７は、回転せず、画像読取部での原稿の搬送は行われない。
【００６１】
したがって、１つの駆動モータの回転を書込ローラギア２２にのみ伝達して、書込ローラを回転駆動させ、適切に受信モードの動作を行って、画像記録部で記録紙を搬送して、受信画像を記録紙に記録出力することができる。
【００６２】
次に、コピーモードについて説明する。ファクシミリ装置１は、待機状態で画像読取部に原稿がセットされると、待機状態では、上述のように、モータ切換ギア２３は、送信モード位置にあるため、上記図１で説明したように、モータピニオン１１を反時計方向に回転させて、上記送信モードの場合に説明したように、読取ローラギア１７を回転させ、原稿のプリフィードを行って、原稿のセットを確認する。
【００６３】
原稿のセットの確認を行うと、制御部は、操作部でのコピー指示操作に応じて、コピーモードに移行し、駆動モータ、すなわち、モータピニオン１１を時計方向に回転させて、モータ切換ギア２３の位置、すなわち、カム２６の位置を、図４に示すように、カム２６が左上部に位置するコピーモード位置に移動させ、駆動機構部１０の動作モードをコピーモードに設定する。
【００６４】
次に、制御部は、図４に矢印で示すように、駆動モータを反時計方向に回転させて、モータピニオン１１を反時計方向に回転させ、モータピニオン１１が反時計方向に回転すると、減速ギア１２、読取側第１アイドラギア１３及び書込側第１アイドラギア１８が回転する。読取側第１アイドラギア１３及び書込側第１アイドラギア１８が回転すると、読取側揺動板１５と書込側揺動板２０は、それぞれ揺動ギア１４、１９が読取側第２アイドラギア１６と書込側第２アイドラギア２１に歯合する方向に揺動する。
【００６５】
ところが、コピーモードにおいては、図４に示すように、モード切換ギア２３の図４の裏面側に設けられたカム２６が、読取側揺動板１５の先端及び書込側揺動板２０のいずれとも干渉しない左上部位置に位置しており、読取側揺動板１５及び書込側揺動板２０の揺動を妨げることがない。したがって、読取側揺動ギア１４が読取側第２アイドラギア１７に歯合するとともに、書込側揺動ギア１９が書込側第２アイドラギア２１と歯合し、モータピニオン１１の回転が減速ギア１２、読取側第１アイドラギア１３、読取側揺動ギア１４及び読取側第２アイドラギア１６を介して順次伝達されて、読取ローラギア１７を回転駆動させるとともに、書込側第１アイドラギア１８、書込側揺動ギア１９及び書込側第２アイドラギア２１を介して順次伝達されて、書込ローラギア２２を回転駆動させる。
【００６６】
したがって、読取ローラギア１７により読取ローラが回転駆動されて、画像読取部の原稿を適切に搬送することができ、また、書込ローラギア２２により書込ローラが回転駆動され、画像記録部の記録紙を適切に搬送することができる。
【００６７】
したがって、１つの駆動モータの回転を読取ローラギア１７に伝達して、読取ローラを回転駆動させ、適切に画像読取部で原稿を搬送して、原稿の画像を読み取り、また、駆動モータの回転を書込ローラギア２２に伝達して、書込ローラを回転駆動させ、適切に画像記録部で記録紙を搬送して、受信画像を記録紙に記録出力することができる。
【００６８】
このように、本実施の形態のファクシミリ装置１は、１個の駆動モータによって回転駆動されるモータピニオン１１の回転を、揺動する読取側揺動板１５に取り付けられた読取側第１アイドラギア１３と読取側揺動ギア１４を介して読取側ローラギア機構である読取側第２アイドラギア１６及び読取ローラギア１７に伝達し、また、揺動する書込側揺動板２０に取り付けられた書込側第１アイドラギア１８と書込側揺動ギア１９を介して書込側ローラギア機構である書込側第２アイドラギア２１及び書込ローラギア２２に伝達し、モード切換ギア２３に取り付けられたカム２６が、読取側揺動板１５の先端と書込側揺動板２０の先端に干渉して、読取側揺動板１５と書込側揺動板２０の揺動を規制して読取モード（送信モード）、記録モード（受信モード）及びコピーモードの３つの動作モードを設定するに際して、当該カム２６によりオン・オフされるモード検出手段であるモード検知センサ２４でモード切換ギア２３の回転位置を検出して、動作モードの切り換えを行っている。
【００６９】
したがって、ファクシミリ装置１、特に、駆動機構部１０を部品点数が少なく、小型軽量でかつ安定した動作を行うことができるとともに、安価なものとすることができる。
【００７０】
また、本実施の形態のファクシミリ装置１は、待機状態時の動作モードを読取モードである送信モードとしている。
【００７１】
したがって、原稿が画像読取部にセットされた際に読取側ローラギア機構である読取側第２アイドラギア１６及び読取ローラギア１７を速やかに駆動させて原稿をプリフィードして、原稿がセットされたことを確認することができ、送信モードあるいはコピーモードに速やかに移行することができる。その結果、ファクシミリ装置１の利用性を向上させることができる。
【００７２】
また、本実施の形態のファクシミリ装置１は、ファクシミリ装置１の組立時のモード切換ギア２３のギア位置、すなわち、カム２６の位置を、コピーモードに限定している。
【００７３】
すなわち、ファクシミリ装置１の組立時、特に、駆動機構部１０の組立時に、モード切換ギア２３のギア位置を、図５に示すように、送信モードでのギア位置とすると、正常動作への移行が困難になるおそれがある。ファクシミリ装置１は、動作を開始するためには、モード切換ギア２３を回転させてモード検知センサ２４で現在のモードを検知する必要があるが、ファクシミリ装置１の組立時に、図５に示すように、モード切換ギア２３のギア位置が送信モードのギア位置となっており、書込側揺動板２０の先端がカム２６の下側に位置していると、モータピニオン１１が時計方向に回転して読取側揺動ギア１４がモータ切換ギア２３に歯合し、モータ切換ギア２３が矢印で示す時計方向に回転して、カム２６が時計方向に回転しようとした際、図５に示すように、カム２６と書込側揺動板２０の先端が干渉する。
【００７４】
したがって、カム２６、すなわち、モータ切換ギア２３が回転することができず、モード検知センサ２４によるモード検知を行うことができない。その結果、ファクシミリ装置１は、現在の動作モードを検出することができず、正常動作に移行できないおそれがある。
【００７５】
また、ファクシミリ装置１の組立時、特に、駆動機構部１０の組立時に、モード切換ギア２３のギア位置を、図６に示すように、受信モードでのギア位置とすると、正常動作への移行が困難になるおそれがある。ファクシミリ装置１は、動作を開始するためには、モード切換ギア２３を回転させてモード検知センサ２４で現在のモードを検知する必要があるが、ファクシミリ装置１の組立時に、図６に示すように、モード切換ギア２３のギア位置が受信モードのギア位置となっており、読取側揺動板１５の先端がカム２６の左側に位置していると、モータピニオン１１が時計方向に回転して読取側揺動ギア１４をモータ切換ギア２３に歯合させるために、読取側揺動板１５が時計方向（右方向）に揺動しようとした際、図６に示すように、読取側揺動板１５の先端がカム２６と干渉する。この場合、組立時に、読取側揺動板１５の先端位置に気をつけてカム２６との干渉を避けて組み立てたとしても、読取側揺動板１５は少しの振動で移動したり、少し触っただけで移動するため、読取側揺動板１５の先端がカム２６と干渉することとなる。
【００７６】
したがって、モータ切換ギア２３が回転せず、カム２６も回転しないため、モード検知センサ２４によるモード検知を行うことができない。その結果、ファクシミリ装置１は、現在の動作モードを検出することができず、正常動作に移行できないおそれがある。
【００７７】
ところが、ファクシミリ装置１の組立時、特に、駆動機構部１０の組立時に、モード切換ギア２３のギア位置を、図４に示したように、コピーモードでのギア位置とすると、読取側揺動板１５の先端と書込側揺動板２０の先端のいずれもが、多少移動したとしても、カム２６と干渉することがなく、適切にモード切換ギア２３を回転させて、モード切換ギア２３のギア位置、すなわち、カム２６の位置をモード検知センサ２４で検知することができる。その結果、ファクシミリ装置１を正常動作させることができる。
【００７８】
そして、このように、モード切換ギア２３のギア位置をコピーモードに位置させて組み立てると、モード切換ギア２３は、スプリング２５により、押さえつけられているため、一度位置決めされると、容易に位置変動することがなく、ファクシミリ装置１を適切に正常動作させることができる。
【００７９】
その結果、ファクシミリ装置１、特に、駆動機構部１０の組立作業の作業性を向上させることができるとともに、組立ミスを軽減させて、ファクシミリ装置１の品質を向上させることができる。
【００８０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８１】
例えば、実施の形態においては、ファクシミリ装置に適用した場合について説明したが、画像読取記録装置としては、ファクシミリ装置に限るものではなく、例えば、複写装置にも同様に適用することができる。
【００８２】
【発明の効果】
請求項１記載の発明の画像読取記録装置によれば、１個の駆動モータによって回転駆動される駆動ギアの回転を、揺動する読取側揺動板に取り付けられた読取側アイドラギアと読取側揺動ギアを介して読取側ローラギア機構に伝達し、また、揺動する書込側揺動板に取り付けられた書込側アイドラギアと書込側揺動ギアを介して書込側ローラギア機構に伝達し、モード切換ギアに取り付けられたカムが、読取側揺動板の先端と書込側揺動板の先端に干渉して、読取側揺動板と書込側揺動板の揺動を規制して読取モード、記録モード及びコピーモードの３つの動作モードを設定するに際して、当該カムによりオン・オフされるモード検出手段でモード切換ギアの回転位置を検出して、動作モードの切り換えを行うので、画像読取記録装置を小型軽量で動作の安定性が高いものとすることができる。
さらに、請求項１記載の発明の画像読取記録装置によれば、画像読取記録装置の組み立て完了時の動作モードをコピーモードとしているので、組み立て後の搬送時等に画像読取記録装置に加わる振動等でモード切換ギアが多少位置変動しても、読取側揺動板や書込側揺動板の先端がカムと干渉して、モード切換ギアの回転を不可能とする等による動作不良の発生を防止することができ、画像読取記録装置の組立時の作業性の向上及び組立ミスの減少を図ることができるとともに、画像読取記録装置の品質を向上させることができる。
【００８３】
請求項２記載の発明の画像読取記録装置によれば、画像読取記録装置の待機状態時の動作モードを読取モードとしているので、原稿が画像読取部にセットされた際に読取側ローラギア機構を速やかに駆動させて原稿をプリフィードして、原稿がセットされたことを確認することができ、読取モードあるいはコピーモードに速やかに移行できるようにして、利用性を向上させることができる。
【図面の簡単な説明】
【図１】本発明の画像読取記録装置の一実施の形態を適用したファクシミリ装置の駆動機構部の送信モード時の要部正面図。
【図２】図１の駆動機構部のモード切換時の要部正面図。
【図３】図１の駆動機構部の受信モード時の要部正面図。
【図４】図１の駆動機構部のコピーモード時の要部正面図。
【図５】図１のファクシミリ装置の組立時にモータ切換ギアが送信モード位置となっている場合の要部拡大正面図。
【図６】図１のファクシミリ装置の組立時にモータ切換ギアが受信モード位置となっている場合の要部拡大正面図。
【符号の説明】
１  ファクシミリ装置
１０  駆動機構部
１１  モータピニオン
１２  減速ギア
１３  読取側第１アイドラギア
１４  読取側揺動ギア
１５  読取側揺動板
１６  読取側第２アイドラギア
１７  読取ローラギア
１８  書込側第１アイドラギア
１９  書込側揺動ギア
２０  書込側揺動板
２１  書込側第２アイドラギア
２２  書込ローラギア
２３  モード切換ギア
２４  モード検知センサ
２５  スプリング
２６  カム
２７  カム保持部
２８  固定部材
【図１】
0003980232.tif 000002
【図２】
0003980232.tif 000003
【図３】
0003980232.tif 000004
【図４】
0003980232.tif 000005
【図５】
0003980232.tif 000006
【図６】
0003980232.tif 000007